(57)【要約】【課題】  各端子列間のマグネットウェーブの干渉を避けることができるアース式に近い端子コネクターを提供する。【解決手段】  プラグ型連接部品と、ソケット型連接部品とを含む。プラグ型連接部品とソケット型連接部品の中の任意の連接部品は、プラスチック本体１０と、第一端子列２０ａと、第二端子列２０ｂと、被し殻体３０と、第一アース板４０ａと、第二アース板４０ｂとを含む。ソケット型連接部品の差し穴部は、プラグ型連接部品の差しヘッド部と嵌接或いは分離する。第一端子列２０ａは、第一端子列置き穴１１ａの中に嵌置かれている。第二端子列２０ｂは、第二端子列置き穴１１ｂの中に嵌置かれている。被し殻体３０は、プラスチック本体１０の外に被されている。第一アース板４０ａは、第一アース板嵌穴１２ａの中に嵌接している。第二アース板は、第二アース板嵌穴１２ｂの中に嵌接している。【選択図】    図１
2005327695.tif 000002
【特許請求の範囲】
【請求項１】
プラグ型連接部品と、ソケット型連接部品とを含むアース式に近い端子コネクターであって、前記プラグ型連接部品とソケット型連接部品の中の任意の連接部品はプラスチック本体と、第一端子列と、第二端子列と、被し殻体と、第一アース板と、第二アース板とを含み、
前記プラグ型連接部品は差しヘッド部が設けられ、ソケット型連接部品は差し穴部があって、差し穴部はプラグ型連接部品の差しヘッド部と嵌接或いは分離し、
前記プラスチック本体は第一端子列置き穴があり、第二端子列置き穴は第一端子列置き穴の近くにあり、第一アース板嵌穴は第一端子列置き穴のそばに隣接し、第一アース板嵌穴と第一端子列置き穴との間の距離は第一アース板嵌穴と第二端子列置き穴との間の距離よりも小さく、第二アース板嵌穴は第二端子列置き穴のそばに隣設していて、第二アース板嵌穴と第二端子列置き穴との間の距離は第二アース板嵌穴と第一端子列置き穴との間の距離よりも小さく、
前記第一端子列は対応的に前記プラスチック本体の第一端子列置き穴の中に嵌置かれ、
前記第二端子列は対応的に前記プラスチック本体の第二端子列置き穴の中に嵌置かれ、
前記被し殻体は前記プラスチック本体の外に被されていて、一つのアース回路に連接され、
前記第一アース板は前記プラスチック本体の第一アース板嵌穴の中に嵌接し、前記第一アース板は第一端子列の近くにあって、第一アース板は接点があって、前記アース回路と連接し、
前記第二アース板は前記プラスチック本体の第二アース板嵌穴の中に嵌接し、前記第二アース板は第二端子列の近くにあって、第二アース板は接点があり、前記アース回路と連接することを特徴とするアース式に近い端子コネクター。
【請求項２】
前記第一アース板と第二アース板は、板体を含み、板体上に複数個の固定掛け部が設けられていて、対応的に前記プラスチック本体の第一アース板嵌穴および第二アース板嵌穴の中に掛け止められ、前記板体の板縁に連接した舌板が突伸していて、対応的に前記被し殻体の対応した接点に連接することを特徴とする請求項１に記載のアース式に近い端子コネクター。
【請求項３】
前記第一アース板および第二アース板の各固定掛け部は、逆鉤部になっていることを特徴とする請求項２に記載のアース式に近い端子コネクター。
【請求項４】
前記端子コネクターの前端は、差し穴部を形成して、対応的に一つの差しヘッド部を中に差し止めて、ソケット型連接部品を形成することを特徴とする請求項１に記載のアース式に近い端子コネクター。
【請求項５】
前記端子コネクターの前端は、一つの差しヘッド部を形成して、一つのソケットの中に差し込まれ、一つのプラグ型連接部品を形成することを特徴とする請求項１に記載のアース式に近い端子コネクター。
【請求項６】
プラグ型連接部品と、ソケット型連接部品とを含むアース式に近い端子コネクターであって、前記プラグ型連接部品とソケット型連接部品の中の任意の連接部品はプラスチック本体と、第一端子列と、第二端子列と、被し殻体と、第一アース板と、第二アース板と、第三アース板とを含み、
前記プラグ型連接部品は差しヘッド部が設けられ、ソケット型連接部品は差し穴部があって、差し穴部はプラグ型連接部品の差しヘッド部と嵌接或いは分離し、
前記プラスチック本体は第一端子列置き穴があり、第二端子列置き穴は第一端子列置き穴の近くにあり、第一アース板嵌穴は第一端子列置き穴のそばに隣設し、第一アース板嵌穴と第一端子列置き穴との間の距離は第一アース板嵌穴と第二端子列置き穴との間の距離よりも小さく、第二アース板嵌穴は第二端子列置き穴のそばに隣設していて、第二アース板嵌穴と第二端子列置き穴との間の距離は第二アース板嵌穴と第一端子列置き穴との間の距離よりも小さく、第三アース板嵌穴は第一端子列置き穴と第二端子列置き穴との間にあり、
前記第一端子列は対応的に前記プラスチック本体の第一端子列置き穴の中に嵌置かれ、
前記第二端子列は対応的に前記プラスチック本体の第二端子列置き穴の中に嵌置かれ、
前記被し殻体は前記プラスチック本体の外に被されていて、一つのアース回路に連接され、
前記第一アース板は前記プラスチック本体の第一アース板嵌穴の中に嵌接し、前記第一アース板は第一端子列の近くにあって、且つ第一アース板は接点があって、前記アース回路と連接し、
前記第二アース板は前記プラスチック本体の第二アース板嵌穴の中に嵌接し、前記第二アース板は第二端子列の近くにあって、第二アース板は接点があって、前記アース回路と連接し、
前記第三アース板は前記プラスチック本体の第三アース板嵌穴の中に嵌接し、前記第三アース板は第一端子列と第二端子列との間にあって、第三アース板は接点があって、前記アース回路と連接することを特徴とするアース式に近い端子コネクター。
【請求項７】
任意の一つの前記アース板は、板体を含み、前記板体上には複数個の固定掛け部があって、対応的に前記プラスチック本体のアース板の嵌穴の中に掛け止められ、別に前記板体の板縁に連接した舌板が突伸していて、対応的に前記被し殻体の対応した接点に連接することを特徴とする請求項６に記載のアース式に近い端子コネクター。
【請求項８】
任意の一つの前記アース板の各固定掛け部は、逆鉤部になっていることを特徴とする請求項７に記載のアース式に近い端子コネクター。
【請求項９】
前記端子コネクターの前端は、差し穴部を形成して、対応的に一つの差しヘッド部を中に差し止めて、ソケット型連接部品を形成することを特徴とする請求項６に記載のアース式に近い端子コネクター。
【請求項１０】
前記端子コネクターの前端は、一つの差しヘッド部を形成して、一つのソケットの中に差し込まれ、一つのプラグ型連接部品を形成することを特徴とする請求項６に記載アース式に近い端子コネクター。
【請求項１１】
プラグ型連接部品と、ソケット型連接部品とを含むアース式に近い端子コネクターであって、前記プラグ型連接部品とソケット型連接部品の中の任意の連接部品はプラスチック本体と、第一端子列と、第二端子列と、被し殻体とを含み、
前記プラグ型連接部品は差しヘッド部があり、ソケット型連接部品は差し穴部があって、差し穴部はプラグ型連接部品の差しヘッド部と嵌接或いは分離し、
前記プラスチック本体は第一端子列置き穴があり、第二端子列置き穴は第一端子列置き穴の近くにあり、アース板の嵌穴は第一端子列置き穴と第二端子列置き穴との間に設けられ、
前記第一端子列は対応して前記プラスチック本体の第一端子列置き穴の中に嵌込まれ、
前記第二端子列は対応して前記プラスチック本体の第二端子列置き穴の中に嵌込まれ、
前記被し殻体は前記プラスチック本体の外に被されていて、一つのアース回路に連接され、
前記アース板はプラスチック本体のアース板の嵌穴の中に嵌接していて、前記アース板は第一端子列と第二端子列との間にあって、前記アース板は接点を含んでいて、前記アース回路と連接することを特徴とするアース式に近い端子コネクター。
【請求項１２】
前記アース板は、板体を含み、前記板体上には複数個の固定掛け部が設けられ、対応的に前記プラスチック本体のアース板の嵌穴の中に掛け止められ、別に前記板体の板縁に連接した舌板が突伸して、対応的に前記被し殻体の対応した接点に連接することを特徴とする請求項１１に記載のアース式に近い端子コネクター。
【請求項１３】
前記アース板の各固定掛け部は、逆鉤部になっていることを特徴とする請求項１２に記載のアース式に近い端子コネクター。
【請求項１４】
前記端子コネクターの前端は、差し穴部を形成し、対応的に一つの差しヘッドを中に差し止めて、一つのソケット型連接部品を形成することを特徴とする請求項１１に記載のアース式に近い端子コネクター
【請求項１５】
前記端子コネクターの前端は、一つの差しヘッド部を形成して、一つのソケットの中に差し込まれて、一つのプラグ型連接部品を形成することを特徴とする請求項１１に記載のアース式に近い端子コネクター。
【発明の詳細な説明】
【技術分野】
【０００１】
本発明は、一種のアース式に近い端子コネクターに関し、特に、端子コネクターのプラスチック本体上に最少一枚のアース板を嵌置いて、該アース板を各端子列の一側に近づけ、並びに該アース板と一つのアース回路を一つのアース廻路に構成して、各端子列が伝送する時に生じるマグネットウェーブを近くにあるアース板のガイドを経てアースすることができ、有効に各端子列間のマグネットウェーブの干渉を避けることができる。
【背景技術】
【０００２】
現在、一般に電子信号伝送の端子列コネクターに応用されているのは、図１１および図１２に示すように、下記のものを含む。一つのプラスチック本体９１は、並列で二列の端子列の置き穴９１１が貫通して設けられている。二列の端子列９２は、各別に対応して該プラスチック本体９１の一つの端子列置き穴９１１の中に嵌置かれている。一つの被し殻体９３は、該プラスチック本体９１の外側に被されている。
【０００３】
上記の端子列コネクターは、被し殻体９３が設けられて、外部のマグネットウェーブが各端子列９２に対する干渉を阻害および隔離することができるが、コネクターの中に取付けた各端子列９２は並列のプラスチック本体９１の中での間隔は極めて近寄っているので、各端子列９２が信号伝送を進める時では、常時生じたマグネットウェーブによりその他の端子列９２の信号伝送を干渉する。この課題を解決するために、目前では、図１１および図１２に示すように、該被し殻体９３の板面上に下に向けて凹む凹み部９３１があって、この各凹み部９３１を各端子列９２に近づけて、各端子列が生じるマグネットウェーブがこの近くにある該凹み部９３１に吸収されてアースして、各端子列の互いに干渉するのを下げる目的を達成する。
【０００４】
但し、上記の構造では、各凹み部９３１は、被し殻体９３から直接にプレス成形されているので、金属の延び性の阻害があり、該凹み部９３１の凹む深さは制限される、これで、該凹み部９３１は極めて各端子列９２の一側に近寄ることができない。このように、各該端子列９２が生じるマグネットウェーブは、やはり凹み部９３１に接収されないので、各端子列９２の間はやはり互いに干渉する現象を発生する。この外に、被し殻体９３は、一つの体積が非常に小さい金属殻体であるのに制限されて、局部的な位置に該凹み部９３１が設けられている。このために、凹み部９３１に対応した近くの端子列９２に対してマグネットウェーブを接収し、アースを進行して、互いに干渉する効果を妨害するだけで、一切の端子列９２に対してマグネットウェーブを接収してアースをすることができない。このために、このアースの効果は特に良好でない欠点がある。
【発明の開示】
【発明が解決しようとする課題】
【０００５】
しかしながら、上記のように、凹み部を設けて、各端子列に生じたマグネットウェーブを接収してアースを行うが、凹みの深さに制限がある。又、端子列に極めて近寄ることができない。この外に、被し殻体は一つの体積が小さい金属殻体であるために、只凹み部が対応した近くの端子列に対してアースを行って、互いの干渉する効果を一切の端子列に対して行うことができない欠点がある。
【課題を解決するための手段】
【０００６】
本発明は上記の欠点を解決するためになされたものである。本発明は一種のアース式に近い端子コネクターで、下記のものを含む。プラスチック本体は、二列の端子列置き穴がある。端子列は、個別に対応的に該プラスチック本体の端子列置き穴の中に嵌置かれている。被し殻体は、該プラスチック本体の外側に被されていて、並びに回路板のアース回路に連接している。プラスチック本体は、横向きに最少一枚のアース板を嵌接し、該アース板を各端子列の一側に近づけ、尚且つ最少一枚の連接舌板を含んで、該被し殻体と連接して、アース回路とアース廻路を構成して、各端子列間に生じるマグネットウェーブの干渉を避ける目的を達成させる。
【０００７】
請求項１によると、上記の目的を達成するための本発明のアース式に近い端子コネクターは、プラグ型連接部品と、ソケット型連接部品とを含む。該プラグ型連接部品とソケット型連接部品の中の任意の連接部品は、プラスチック本体と、第一端子列と、第二端子列と、被し殻体と、第一アース板と、第二アース板とを含む。該プラグ型連接部品は、差しヘッド部が設けられている。ソケット型連接部品は差し穴部があって、尚且つ差し穴部はプラグ型連接部品の差しヘッド部と嵌接或いは分離する。該プラスチック本体は、第一端子列置き穴がある。該第二端子列置き穴は、第一端子列置き穴の近くにある。第一アース板嵌穴は、第一端子列置き穴のそばに隣設して、第一アース板嵌穴と第一端子列置き穴との間との距離は、第一アース板嵌穴と第二端子列置き穴との間の距離よりも小さい。第二アース板嵌穴は、第二端子列置き穴のそばに隣設していて、且つ第二アース板嵌穴と第二端子列置き穴との間の距離は第二アース板嵌穴と第一端子列置き穴との間の距離よりも小さい。該第一端子列は、対応的に該プラスチック本体の第一端子列置き穴の中に嵌置かれている。該第二端子列は、対応的に該プラスチック本体の第二端子列置き穴の中に嵌置かれている。該被し殻体は、該プラスチック本体の外に被されていて、並びに一つのアース回路に連接されている。該第一アース板は、該プラスチック本体の第一アース板嵌穴の中に嵌接し、第一端子列の近くにあって、接点があって、該アース回路と連接する。該第二アース板は、該プラスチック本体の第二アース板嵌穴の中に嵌接する。該第二アース板は第二端子列の近くにあって、且つ第二アース板は接点があって、該アース回路と連接する。
【０００８】
また、請求項２によると、上記の目的を達成するための本発明のアース式に近い端子コネクターは、該第一アース板と第二アース板とが板体を含む。該板体上に複数個の固定掛け部が設けられていて、対応的に該プラスチック本体の第一アース板嵌穴および第二アース板嵌穴の中に掛け止められ、別に該板体の板縁に連接した舌板が突伸していて、対応的に該被し殻体の対応した接点に連接する。
【０００９】
また、請求項３によると、上記の目的を達成するための本発明のアース式に近い端子コネクターは、前記の中の該第一アース板および第二アース板の各固定掛け部は逆鉤部になっている。
また、請求項４によると、上記の目的を達成するための本発明のアース式に近い端子コネクターは、前記の中の該端子コネクターの前端は差し穴部を形成して、対応的に一つの差しヘッド部を中に差し止めて、ソケット型連接部品を形成する。
【００１０】
また、請求項５によると、上記の目的を達成するための本発明のアース式に近い端子コネクターは、前記の中の該端子コネクターの前端は一つの差しヘッド部を形成して、一つのソケットの中に差し込まれ、一つのプラグ型連接部品を形成する。
【００１１】
請求項６によると、上記の目的を達成するための本発明のアース式に近い端子コネクターは、プラグ型連接部品と、ソケット型連接部品とを含む。該プラグ型連接部品とソケット型連接部品の中の任意の連接部品は、プラスチック本体と、第一端子列と、第二端子列と、被し殻体と、第一アース板と、第二アース板と、第三アース板とを含む。該プラグ型連接部品は、差しヘッド部が設けられている。ソケット型連接部品は差し穴部があって、且つ差し穴部はプラグ型連接部品の差しヘッド部と嵌接或いは分離する。該プラスチック本体は、第一端子列置き穴がある。第二端子列置き穴は、第一端子列置き穴の近くにある。第一アース板嵌穴は第一端子列置き穴のそばに隣接して、且つ第一アース板嵌穴と第一端子列置き穴と間の距離は第一アース板嵌穴と第二端子列置き穴との間の距離よりも小さい。第二アース板嵌穴は、第二端子列置き穴のそばに隣接していて、且つ第二アース板嵌穴と第二端子列置き穴との間の距離は第二アース板嵌穴と第一端子列置き穴との間の距離よりも小さい。第三アース板嵌穴は、第一端子列置き穴と第二端子列置き穴との間にある。該第一端子列は、対応的に該プラスチック本体の第一端子列置き穴の中に嵌置かれている。該第二端子列は、対応的に該プラスチック本体の第二端子列置き穴の中に嵌置かれている。該被し殻体は、該プラスチック本体の外に被されていて、並びに一つのアース回路に連接されている。該第一アース板は、該プラスチック本体の第一アース板嵌穴の中に嵌接し、該第一アース板は第一端子列の近くにあって、且つ第一アース板は接点があって、該アース回路と連接する。該第二アース板は、該プラスチック本体の第二アース板嵌穴の中に嵌接し、該第二アース板は第二端子列の近くにあって、且つ第二アース板は接点があって、該アース回路と連接する。該第三アース板は、該プラスチック本体の第三アース板嵌穴の中に嵌接し、第三アース板は第一端子列と第二端子列との間にあって、且つ第三アース板は接点があって、該アース回路と連接する。
【００１２】
また、請求項７によると、上記の目的を達成するための本発明のアース式に近い端子コネクターは、前記の中の任意の一つのアース板は板体を含み、該板体上は複数個の固定掛け部があって、対応的に該プラスチック本体のアース板の嵌穴の中に掛け止められ、別に該板体の板縁に連接した舌板が突伸していて、対応的に該被し殻体の対応した接点に連接する。
【００１３】
また、請求項８によると、上記の目的を達成するための本発明のアース式に近い端子コネクターは、前記の任意の一つのアース板の各固定掛け部は逆鉤部になっている。
また、請求項９によると、上記の目的を達成するための本発明のアース式に近い端子コネクターは、前記の該端子コネクターの前端は差し穴部を形成して、対応的に一つの差しヘッド部を中に差し止めて、ソケット型連接部品を形成する。
【００１４】
また、請求項１０によると、上記の目的を達成するための本発明のアース式に近い端子コネクターは、前記の該端子コネクターの前端は一つの差しヘッド部を形成して、一つのソケットの中に差し込まれて、一つのプラグ型連接部品を形成する。
【００１５】
請求項１１によると、上記の目的を達成するための本発明のアース式に近い端子コネクターは、プラグ型連接部品と、ソケット型連接部品とを含む。該プラグ型連接部品と、ソケット型連接部品の中の任意の連接部品は、プラスチック本体と、第一端子列と、第二端子列と、被し殻体とを含む。該プラグ型連接部品は、差しヘッド部がある。ソケット型連接部品は差し穴部があって、且つ差し穴部はプラグ型連接部品の差しヘッド部と嵌接或いは分離する。該プラスチック本体は、第一端子列置き穴がある。第二端子列置き穴は、第一端子列置き穴の近くにある。アース板嵌穴は、第一端子列置き穴と第二端子列置き穴との間に設けられている。該第一端子列は、対応して該プラスチック本体の第一端子列置き穴の中に嵌込まれている。該第二端子列は、対応して該プラスチック本体の第二端子列置き穴の中に嵌込まれている。該被し殻体は、該プラスチック本体の外に被されていて、並びに一つのアース回路に連接されている。該アース板はプラスチック本体のアース板嵌穴の中に嵌接していて、該アース板は第一端子列と第二端子列との間にあって、且つ該アース板は接点を含んでいて、該アース回路と連接する。
【００１６】
また、請求項１２によると、上記の目的を達成するための本発明のアース式に近い端子コネクターは、前記の該アース板は板体を含む。該板体上には複数個の固定掛け部が設けられ、対応的に該プラスチック本体のアース板の嵌穴の中に掛け止められる。別に該板体の板縁に連接した舌板が突伸して、対応的に該被し殻体の対応した接点に連接する。
【００１７】
また、請求項１３によると、上記の目的を達成するための本発明のアース式に近い端子コネクターは、前記の該アース板の固定掛け部は鉤部になっている。
また、請求項１４によると、上記の目的を達成するための本発明のアース式に近い端子コネクターは、前記の該端子コネクターの前端は差し穴部を形成し、対応的に一つの差しヘッドを中に差し止めて、一つのソケット型連接部品を形成する。
【００１８】
また、請求項１５によると、上記の目的を達成するための本発明のアース式に近い端子コネクターは、前記の該端子コネクターの前端は一つの差しヘッド部を形成して、一つのソケットの中に差し込まれて、一つのプラグ型連接部品を形成する。
【発明を実施するための最良の形態】
【００１９】
以下、図面に従って本発明を説明する。
図１〜図１０をご参照ください。本発明の一実施例によるアース式に近い端子コネクター１は、下記のものを含む。プラグ型連接部品１００’は、差しヘッド部１００ｂがある。ソケット型連接部品１００は差し穴部１００ａがあって、且つ差し穴部１００ａはプラグ型連接部品１００’の差しヘッド部１００ｂと嵌接或いは分離する。
【００２０】
上記のプラグ型連接部品１００’とソケット型連接部品１００の中の任意の連接部品は、下記のものを含む。プラスチック本体１０、第一端子列２０ａ、第二端子列２０ｂ、被し殻体３０、第一アース板４０ａおよび第二アース板４０ｂ等の部品。
【００２１】
該プラスチック本体１０には、第一端子列置き穴１１ａ、第二端子列置き穴１１ｂ、第一アース板嵌穴１２ａおよび第二アース板嵌穴１２ｂ等が設けられている。その中の第二端子列置き穴１１ｂは、第一端子列置き穴１１ａの近くにある。第一アース板嵌穴１２ａは第一端子列置き穴１１ａのそばに設けられていて、且つ第一アース板嵌穴１２ａと第一端子列置き穴１１ａとの間の距離は第一アース板嵌穴１２ａと第二端子列置き穴１１ｂとの間の距離よりも小さい。第二アース板嵌穴１２ｂは第二端子列置き穴１１ｂのそばに設けられていて、且つ第二アース板嵌穴１２ｂと第二端子列置き穴１１ｂとの間の距離は第二アース板嵌穴１２ｂと第一端子列置き穴１１ａとの間の距離よりも小さい。
【００２２】
第一端子列２０ａは、対応的に該プラスチック本体１０の第一端子列置き穴１１ａの中に嵌置かれている。第二端子列２０ｂは、対応的に該プラスチック本体１０の第二端子列置き穴１１ｂの中に嵌置かれている。
被し殻体３０は、該プラスチック本体１０の外側に被されていて、並びに一つのアース回路に連接している。
【００２３】
第一アース板４０ｂは、該プラスチック本体１０の第一アース板嵌穴１２ａの中に嵌接している。該第一アース板４０ａは第一端子列の近くにあって、且つ第一アース板４０ａは接点があって、該アース回路と連接する。
【００２４】
第二アース板４０ａは、該プラスチック本体１０の第二アース板嵌穴１２ｂの中に嵌接している。該第二アース板４０ｂは第二端子列２０ｂの近くにあって、且つ第二アース板４０ｂは接点があって、該アース回路と連接する。
【００２５】
これで、第一アース板４０ａおよび第二アース板４０ｂを極めて第一端子列２０ａまたは第二端子列２０ｂに近よらせることができて、第一端子列２０ａおよび第二端子列２０２０ｂが生じるマグネットウェーブを接収し、並びに接収したマグネットウェーブを第一アース板４０ａおよび第二アース板４０ｂのガイドを経てアースして、第一端子列２０ａと第二端子列２０ｂとの間の互いに干渉するのを下げて、端子コネクターの信号伝送の品質を高めることができる。
【００２６】
第一アース板４０ａおよび第二アース板４０ｂは、板体４１を含む。該板体４１の上には複数個の固定掛け部４１１があって、対応的に該プラスチック本体１０の第一アース板嵌穴１２ａおよび第二アース板嵌穴１２ｂの中に掛け込まれる。別に該板体４１の板縁に連接した舌板４２が突伸して、対応的に該被し殻体３０の対応の接点３１に連接する。或いは、リード線で電源線の中のアース線にハンダで連接して、一つのアース回路を構成する。第一アース板４０ａおよび第二アース板４０ｂの各固定掛け部４１１が逆鉤部或いは掛け孔になっているのは、本発明は制限しない。
【００２７】
前記の端子コネクター１の前端は、差し穴部１００ａを形成して、対応的に一つの差しヘッド部１００ｂを中に差し連接して、一つのソケット型連接部品を形成する。
前記の端子コネクター１の前端は、一つの差しヘッド部１００ｂを形成して、一つのソケットの中に差し込まれて、一つのプラグ型連接部品を形成する。本発明は、該コネクター型式種類を制限しない。
【００２８】
前記のプラスチック本体１０は、一歩進んで第三アース板嵌穴１２ｃがあって、第一端子列置き穴１１ａと第二端子列置き穴１１ｂとの間に設けられている。本実施例は一歩進んで第三アース板４０ｃを含み、プラスチック本体１０の第三アース板嵌穴１２ｃの中に嵌接する。該第三アース板４０ｃは第一端子列２０ａと第二端子列２０ｂとの間にあって、且つ第三アース板４０ｃは接点があって、該アース回路と連接する。
【００２９】
或いは、只プラスチック本体１０の第一端子列置き穴１１ａと第二端子列置き穴１１ｂとの間に一つのアース板の嵌穴１２が設置され、一つのアース板４０を嵌接して、上記のアース板４０を第一端子列２０ａと第二端子列２０ｂとの間にして、且つ該アース板４０は接点を含んでいて、該アース回路と連接する。
【００３０】
本実施例が示すアース式に近い端子コネクターは、プラスチック本体１０の中に嵌め置いたアース板４０、アース板４０ａ、アース板４０ｂおよびアース板４０ｃが一つの縦が長い板体で、第一端子列２０ａおよび第二端子列２０ｂの側辺に投影していて、且つアース板４０、アース板４０ａ、アース板４０ｂおよびアース板４０ｃと第一端子列２０ａ、および第二端子列２０ｂとの間の間隔は極めて近いので、端子コネクター１の中の第一端子列２０ａおよび第二端子列２０ｂに対してみんなマグネットウェーブをうばい取る機能があって、第一端子列２０ａおよび第二端子列２０ｂに生じたマグネットウェーブを近くのアース板４０、アース板４０ａ、アース板４０ｂ、アース板４０ｃおよび被し殻体３０でアースして、アース回路に連接して、有効に第一端子列２０ａおよび第二端子列２０ｂのマグネットウェーブの干渉を避けて、信号の伝送品質を増進することができるので、本発明の新類性および実用性を表す。
本発明が示す構造および形状は、本発明の精神および範畴を違反しない範囲で修飾または応用することは、制限しないことを特に強調する。
【図面の簡単な説明】
【００３１】
【図１】本考案の一実施例によるアース式に近い端子コネクターのソケット型連接部品に応用する状態を示す分解斜視図である。
【図２】本考案の一実施例によるアース式に近い端子コネクターのソケット型連接部品に応用する状態を示す斜視図である。
【図３】本考案の一実施例によるアース式に近い端子コネクターのソケット型連接部品に応用する状態を示す後側面図である。
【図４】図２を４−４線で切断した断面である。
【図５】本考案の一実施例によるアース式に近い端子コネクターのソケット型連接部品に応用する状態を示す模式図である。
【図６】本考案の一実施例によるアース式に近い端子コネクターのソケット型連接部品に応用する状態を示す模式図である。
【図７】本考案の一実施例によるアース式に近い端子コネクターのプラグ型連接部品に応用する状態を示す斜視図である。
【図８】図７を８−８線で切断した断面図である。
【図９】本考案の一実施例によるアース式に近い端子コネクターのプラグ型連接部品に応用する状態を示す模式図である。
【図１０】本考案の一実施例によるアース式に近い端子コネクターのプラグ型連接部品に応用する状態を示す模式図である。
【図１１】従来の端子コネクターの斜視図である。
【図１２】従来の端子コネクターの後端の構造を示す模式図である。
【符号の説明】
【００３２】
１  端子コネクター、１０  プラスチック本体、１１ａ  第一端子列置き穴、１１ｂ  第二端子列置き穴、１２  アース板嵌穴、１２ａ  第一アース板嵌穴、１２ｂ  第二アース板嵌穴、１２ｃ  第三アース板嵌穴、２０ａ  第一端子列、２０ｂ  第二端子列、３０  被し殻体、３１  対応接点、４０  アース板、４０ａ  第一アース板、４０ｂ  第二アース板、４０ｃ  第三アース板、４１  板体、４２  連接舌板、１００  ソケット型連接部品、１００’  プラグ型連接部品、１００ａ  差し穴部、１００ｂ  差しヘッド部、４１１  固定掛け部
【図１】
2005327695.tif 000003
【図２】
2005327695.tif 000004
【図３】
2005327695.tif 000005
【図４】
2005327695.tif 000006
【図５】
2005327695.tif 000007
【図６】
2005327695.tif 000008
【図７】
2005327695.tif 000009
【図８】
2005327695.tif 000010
【図９】
2005327695.tif 000011
【図１０】
2005327695.tif 000012
【図１１】
2005327695.tif 000013
【図１２】
2005327695.tif 000014